(57)【要約】      （修正有）【課題】便座に直接手を触れずに便座を開閉させ、非衛生と非常識の念を緩和し、新しいトイレ習慣が確立する便座用取っ手を提供する。【解決手段】洋式トイレ１の便器１１に対して開閉可能に取付けられた便座１２の外縁部から外方に向けて突出されるツマミ部２１を備える。便座１２を閉じた状態において、ツマミ部２１の上面が便座１２の下面よりも下方に位置している。【選択図】図１
0003185147.tif 000002
【実用新案登録請求の範囲】
【請求項１】
洋式トイレの便器に対して開閉可能に取付けられた便座の外縁部から外方に向けて突出されるツマミ部と
を備え、
前記便座を閉じた状態において、前記前記ツマミ部の上面が前記便座の下面よりも下方に位置することを特徴とする便座用取っ手。
【請求項２】
洋式トイレの便器に対して開閉可能に取付けられた便座の下面に貼設される貼設部と、
前記貼設部を介して、前記便座の外縁部から外方に向けて突出されるツマミ部と
を備え、
前記便座を閉じた状態において、前記前記ツマミ部の上面が前記便座の下面よりも下方に位置するように、前記貼設部と前記ツマミ部とが連結されている
ことを特徴とする便座用取っ手。
【請求項３】
前記貼設部は、外方に向けて伸縮する伸縮機構をさらに備え、
前記ツマミ部は、前記伸縮機構を介して、前記便座の外縁部から外方に向けて前後移動可能となっている
ことを特徴とする請求項２に記載の便座用取っ手。
【請求項４】
前記伸縮機構は、
前記貼設部によって前記便座下面に固定される枠体と、
前記枠体に対して出入り可能に連結され、前記ツマミ部を支持するアーム部と、
前記アーム部を、前記便座の内方に向けて押圧する付勢手段と、
前記アーム部に取付けられ、鉛直方向において上方に向けて作用する力を、前記付勢手段による押圧力に対抗する力に変換し、前記ツマミ部を前記便座の外方に向けて移動させる押出機構と
を備えることを特徴とする請求項３に記載の便座用取っ手。
【考案の詳細な説明】
【技術分野】
【０００１】
本考案は、洋式トイレの便座を開閉させる取っ手に関する。
【背景技術】
【０００２】
日本のトイレの形式は、戦後、和式から様式に替わりつつある。そして、近年、ウォッシュレット、及び便座の保温、温風等の機能が付加され、日々便利に変化している（例えば、特許文献１）。特許文献１に開示された洋式トイレには、便器と、便器の回転軸に軸支され、開閉可能な便座を有するとともに、ウォッシュレット機能を有するものである。
【先行技術文献】
【特許文献】
【０００３】
【特許文献１】特開２００２−３２２７１５号公報
【考案の概要】
【考案が解決しようとする課題】
【０００４】
しかしながら、狭いトイレの設置条件の中で、男女兼用で使用することがやむを得ない現状となっている。また、幼児から高齢者まで幅広い年齢層かつ、男女が一箇所で一台の洋式トイレを使用しなければならないのが現状となっている。
【０００５】
世界中でも、清潔感覚の鋭い日本の国民性においても、便座の上下動作について今だ無関心と思われる。便座の上下動作において、便座の非衛生な接触、また、その為に便座を上げずに用を足す非常識な男性などが多く存在している。
【０００６】
そこで、本考案は、上記のような問題を解決するものであり、便座に取っ手を取り付け、便座の上下運動を容易に出来ることにより、非衛生と非常識の念を緩和し、新しいトイレ習慣が確立できる便座用取っ手を提供することを目的とする。また、本考案は、便座に直接手を触れずに便座を開閉させることができるとともに、着席時のユーザーと接触することを防止し、便座から剥がれて落下することを防止する便座用取っ手を提供することを目的とする。
【課題を解決するための手段】
【０００７】
上記課題を解決するために、本考案は、洋式トイレの便器に対して開閉可能に取付けられた便座の外縁部から外方に向けて突出されるツマミ部とを備え、便座を閉じた状態において、ツマミ部の上面が便座の下面よりも下方に位置することを特徴とする。
【０００８】
また、他の考案は、洋式トイレの便器に対して開閉可能に取付けられた便座の下面に貼設される貼設部と、貼設部を介して、便座の外縁部から外方に向けて突出されるツマミ部とを備え、便座を閉じた状態において、ツマミ部の上面が便座の下面よりも下方に位置するように、貼設部とツマミ部とが連結されていることを特徴とする。
【０００９】
これらのような本考案によれば、便座の外縁部から外方に向けて突出されるツマミ部を有しているので、便座を開閉させる際、便座に直接手を触れずに、便座の上下運動を衛生的且つ容易に出来る。これにより、本考案によれば、非衛生と非常識の念を緩和し、新しいトイレ習慣が確立できる。
【００１０】
また、本考案によれば、ユーザーが直接手にふれるツマミ部は、便座を閉じた状態において、その上面が便座の下面よりも下方に位置するように設けられているので、身体が大きなユーザーが便座に着席した場合であっても、ユーザーの身体と接触させることがなく、その結果、取っ手が便座から剥がれ、トイレの床に落下することを防止できる。
【００１１】
上記考案において、貼設部は、外方に向けて伸縮する伸縮機構をさらに備え、ツマミ部は、伸縮機構を介して、便座の外縁部から外方に向けて前後移動可能となっていることが好ましい。
【００１２】
この場合には、ツマミ部は、貼設部に設けられた伸縮機構によって、便座の外縁部から外方に向けて前後移動可能となっているため、便座を開閉させる場合にのみ、ツマミ部を便座の外縁部から外方に突出させ、不使用時には、ツマミ部を便座内に収納させることができるので、ツマミ部に菌や汚物が付着することを防止して衛生的である。
【００１３】
そして、この伸縮機構は、貼設部によって便座下面に固定される枠体と、枠体に対して出入り可能に連結され、ツマミ部を支持するアーム部と、アーム部を、便座の内方に向けて押圧する付勢手段と、アーム部に取付けられ、鉛直方向において上方に向けて作用する力を、付勢手段による押圧力に対抗する力に変換し、ツマミ部を便座の外方に向けて移動させる押出機構とを備えることが好ましい。
【００１４】
この場合、伸縮機構には、ツマミ部を内方に向けて押圧する付勢手段と、ツマミ部を便座の外方に向けて移動させる押出機構とを備えているので、便座が閉じた状態では、便座の上面によって、押出機構に対して上方に向けて作用する力が加わってツマミ部を便座の外方に向けて移動させる。一方、便座が開いた状態では、押出機構に対して作用する力は加わらないため、ツマミ部は付勢手段によってアーム部及びツマミ部は枠体の内側に押圧されたままの状態とする。
【００１５】
このような本考案によれば、簡易な機構でツマミ部を自動で便座の外縁から出し入れ可能となるため、より衛生的である。
【考案の効果】
【００１６】
以上述べたように、この考案によれば、本考案に係る取っ手を便座に取り付け、便座の上下運動を容易に出来る事により、非衛生と非常識の念を緩和し、新しいトイレ習慣が確立できる。さらに、考案によれば、着席時のユーザーと接触することを防止するので、便座から剥がれて落下することを防止することができ、より衛生的である。そして、このような便座用取っ手は、様々な洋式トイレに用いることができる。すなわち、マンション及び一戸建て等の一般家庭、飲食店、ホテル、旅館等の宿泊施設のトイレの他、旅客機などのトイレに用いることができる。
【図面の簡単な説明】
【００１７】
【図１】（ａ）は、第１実施形態に係る便座に貼設された便座用取っ手を示す斜視図であり、同図（ｂ）は、その一部拡大図である。
【図２】第１実施形態に係る便座に貼設された便座用取っ手を示す斜視図である。
【図３】第１実施形態に係る便座用取っ手の構成と、便座との位置関係を示す側面図である。
【図４】（ａ）は、第２実施形態に係る便座に貼設された便座用取っ手を示す斜視図であり、同図（ｂ）は、その一部拡大図である。
【図５】第２実施形態に係る便座用取っ手を示す斜視図である。
【図６】（ａ）は、第２実施形態に係る便座用取っ手と便座との位置関係を示す側面図である。
【図７】（ａ）〜（ｃ）は、変更例１に係る便座用取っ手の構成を示す斜視図である。
【図８】（ａ）及び（ｂ）は、変形例２に係る便座用取っ手の構成を示す斜視図である。
【図９】変更例１に係る便座用取っ手のツマミ部が伸びた状態を示す斜視図である。
【図１０】（ａ）及び（ｂ）は、変更例２に係る便座用取っ手の構成を示す斜視図である。
【図１１】変更例２に係る便座用取っ手の伸縮状態を示す説明図であり、（ａ）は、便器全体を示す側面図であり、同図（ｂ）は、便座用取っ手の要部を概略的に示す上面図であり、同図（ｃ）は、便座用取っ手の要部を概略的に示す側面図である。
【図１２】変更例２に係る便座用取っ手の伸縮状態を示す説明図であり、（ａ）は、便器全体を示す側面図であり、同図（ｂ）は、便座用取っ手の要部を概略的に示す上面図であり、同図（ｃ）は、便座用取っ手の要部を概略的に示す側面図である。
【考案を実施するための形態】
【００１８】
［第１実施形態］
以下に添付図面を参照して、本考案に係る便座用取っ手の実施形態を詳細に説明する。図１（ａ）は、第１実施形態に係る便座に貼設された便座用取っ手を示す斜視図であり、同図（ｂ）は、その一部拡大図であり、図２は、第１実施形態に係る便座に貼設された便座用取っ手を示す斜視図である。また、図３は、第１実施形態に係る便座用取っ手の構成と、便座との位置関係を示す側面図である。
【００１９】
本実施形態において、便座用取っ手２が取り付けられる洋式トイレ１は、図１及び図２に示すように、便器１１と、便器１１に対して開閉可能に取付けられた便座１２とを有している。なお、洋式トイレ１には、図示しないタンクを有しているとともに、便座１２を覆う蓋や、洗浄装置、及び便座の保温装置などを取り付けてもよい。
【００２０】
そして、この洋式トイレ１の便座１２の側方には、便座１２を開閉する便座用取っ手２が設けられている。この便座用取っ手２は、図１及び図２に示すように、プラスチック等の合成樹脂からなり、洋式トイレ１の便座１２に一体的に形成されている。そして、便座用取っ手２は、ツマミ部２１と、便座１２とツマミ部２１とを連結する連結部２３とから構成される。
【００２１】
ツマミ部２１は、連結部２３を介して便座１２と一体的に連結し、便座１２を開閉させる際にユーザーに握られる部材であり、図１及び図２に示すように、便座１２の外縁部から外方に向けて突出されるようになっている。ツマミ部２１には、図１（ｂ）に示すように、鉛直方向に貫通する貫通穴２１ａがツマミ部２１の略中心部分に形成され、環状となっている。
【００２２】
そして、この便座１２とツマミ部２１とは、連結部２３によって連結されている。この連結部２３は、図３に示すように、便座１２の側面から斜め下方向に向かって伸びた形状となっており、便座１２とは反対側にツマミ部２１が形成されている。
【００２３】
このような斜め下方向に延びた連結部２３で、便座１２とツマミ部２１とを連結することによって、図３に示すように、便座１２を閉じた状態において、ツマミ部２１の上面２１ｂの位置ｈ２が便座１２の下面１２ａの高さｄ２よりも下方に位置することとなる。
【００２４】
このように本実施形態によれば、便座１２の外縁部から外方に向けて突出されるツマミ部２１を有しているので、便座１２を開閉させる際、便座１２に直接手を触れずに、便座１２の上下運動を衛生的且つ容易に出来き、その結果、非衛生と非常識の念を緩和し、新しいトイレ習慣が確立できる。
【００２５】
また、本実施形態によれば、ユーザーが直接手に触れるツマミ部２１は、便座１２を閉じた状態において、便座１２の下面１２ａよりも下方に位置するので、身体が大きなユーザーが便座１２に着席した場合であっても、ユーザーの身体と接触させることがない。これにより、ユーザーが便座１２に着席した際に、便座用取っ手２が便座１２から剥がれ、洋式トイレ１の床に落下することを防止できる。また、このようなツマミ部２１を掴んで、便座１２を開閉させることで、手に雑菌が付着せず、衛生的である。
【００２６】
［第２実施形態］
次いで、本考案の第２実施形態について説明する。上述した第１実施形態において、取っ手部２は、便座１２に一体的に取り付けられた構成としたが、本実施形態では、便座１２と着脱可能であることを要旨とする。図４（ａ）は、第１実施形態に係る便座に貼設された便座用取っ手を示す斜視図であり、同図（ｂ）は、その一部拡大図であり、図５は、第２実施形態に係る便座用取っ手を示す斜視図である。また、図６は、第２実施形態に係る便座用取っ手と便座との位置関係を示す側面図である。なお、本実施形態において、上述した第１実施形態及び第２実施形態と同一の構成要素には同一の符号を付し、その機能等は特に言及しない限り同一であり、その説明は省略する。
【００２７】
図４（ａ）及び（ｂ）に示すように、本実施形態に係る便座用取っ手２ｃは洋式トイレ１に着脱可能に装着され、便座１２を開閉する部材である。本実施形態においても、便座用取っ手２ｃが取り付けられる洋式トイレ１は、図４（ａ）及び（ｂ）に示すように、便器１１と、便器１１に対して開閉可能に取付けられた便座１２とを有している。
【００２８】
そして、この洋式トイレ１の便座１２の下面１２ａには、便座用取っ手２ｃが貼設されている。この便座用取っ手２ｃは、図５に示すように、プラスチック等の合成樹脂で形成され、貼設部２２と、ツマミ部２１と、貼設部２２とツマミ部２１とを連結する連結部２３とから構成される。
【００２９】
貼設部２２は、便座１２の下面１２ａに貼設される部材であり、図５に示すように、便座１２の下面１２ａと対向する面には接着部材３が設けられ、接着部材３を介して便座１２の下面１２ａに貼設されている。この接着部材３としては、例えば、シアノアクリレート（cyanoacrylate）を主成分にした瞬間接着剤など、液状の接着材を塗布し、便座１２の下面１２ａに貼り付けることができるようになっている。なお、接着部材３としては両面テープなど、種々の接着部材を用いることができる。
【００３０】
貼設部２２の厚みは、図４（ａ）及び（ｂ）に示すように、便座下面１２ａに設けられた突起部１３の厚みよりも薄くなっている。これにより、貼設部２２が便器１１に接触することを防止している。
【００３１】
ツマミ部２１は、貼設部２２と連結し、便座１２を開閉させる際にユーザーに握られる部材であり、図４及び図５に示すように、便座１２に貼設された際には、便座１２の外縁部から外方に向けて突出されるようになっている。
【００３２】
そして、この貼設部２２とツマミ部２１とは、連結部２３によって連結されている。この連結部２３は、図６に示すように、貼設部２２から斜め下方向に向かって伸びた形状となっており、貼設部２２の反対側にツマミ部２１が形成されている。
【００３３】
このような斜め下方向に延びた連結部２３で、貼設部２２とツマミ部２１とを連結することによって、図６に示すように、便座１２を閉じた状態において、ツマミ部２１の上面２１ｂの位置ｈ２が便座１２の下面１２ａの高さｄ２よりも下方に位置することとなる。なお、本実施形態のような着脱可能な便座用取っ手２ｃのサイズとしては、各種の洋式トイレに応じて変更可能であるが、家庭用などの一般的な洋式トイレでは、図５に示すように、ツマミ部２１は、短軸４ｃｍ、長軸７ｃｍが好適であり、貼設部２２は、長辺５ｃｍ、短辺３ｃｍ、厚み５ｍｍが好適であり、連結部２３は、長さ１ｃｍが好適である。
【００３４】
このように本実施形態によれば、便座１２の外縁部から外方に向けて突出されるツマミ部２１を有しているので、便座１２を開閉させる際、便座１２に直接手を触れずに、便座１２の上下運動を衛生的且つ容易に出来き、非衛生と非常識の念を緩和し、新しいトイレ習慣が確立できる。
【００３５】
また、本実施形態によれば、ユーザーが直接手に触れるツマミ部２１は、便座１２を閉じた状態において、便座１２の下面１２ａよりも下方に位置するので、身体が大きなユーザーが便座１２に着席した場合であっても、ユーザーの身体と接触させることがない。これにより、ユーザーが便座１２に着席した際に、便座用取っ手２ｃが便座１２から剥がれ、洋式トイレ１の床に落下することを防止できる。また、このようなツマミ部２１を掴んで、便座１２を開閉させることで、手に雑菌が付着せず、衛生的である。
【００３６】
（変形例）
本考案による屈伸運動用器具は、実施例の記載に限定されることなく、本考案の要旨を逸脱しない範囲内で種々の変形が可能である。以下に、本考案の変形例について説明する。なお、以下の変形例において、上述した各実施形態と同一の構成要素には同一の符号を付し、その機能等は特に言及しない限り同一であり、その説明は省略する。
【００３７】
［変形例１］
先ず、本考案の変形例１について説明する。上述した各実施形態では、環状のツマミ部を用いたが、ユーザーが掴み易く形状となっていればよく、例えば、図７（ａ）に示すように、外方のみ曲面を有する扇状のツマミ部２１１を備える便座用取っ手２ｄを用いてもよい。さらに、図７（ｂ）に示すように、略中心部分において、鉛直方向に貫通する貫通穴２１２ａが形成されたツマミ部２１２を備える便座用取っ手２ｅを用いてもよい。
【００３８】
さらに、図７（ｃ）に示すように、ツマミ部２１３の表面及び裏面に溝２１３ａを形成させて、グリップ力を持たせてもよい。なお、本変形例では、図７（ｃ）に示すように、波状の溝２１３ａを複数形成させたが、溝の形状は種々変更可能である。
【００３９】
この本変形例１では、図示していないが、本変形例において、便座１２の下面１２ａと対向する面には接着部材３が設けられる。また、本変形例１の各便座用取っ手２ｄ〜２ｆは、第２実施形態のように着脱可能な取っ手を例に説明したが、これに限定するものではなく、第１実施形態にように、便座１２と一体的に形成されたものも含まれる。
【００４０】
［変形例２］
次いで、本考案の変形例２について説明する。本変形例では、貼設部２２に外方に向けて伸縮する伸縮機構をさらに備えことを要旨とする。図８（ａ）及び（ｂ）は、変形例２に係る便座用取っ手の構成を示す斜視図であり、図９は、変形例２に係る便座用取っ手のツマミ部２１１が伸びた状態を示す斜視図である。
【００４１】
本実施形態に係る便座用取っ手２ａの伸縮機構は、図８（ａ）に示すように、内部空中の枠体２５と、枠体２５に対して出入り可能に連結され、ツマミ部２１１を支持するアーム部２４とから構成されている。
【００４２】
枠体２５は、プラスチック等の合成樹脂で形成されている。この枠体２５は、一方の側面が開口されて側部開口２５ｃを形成しており、その側部開口２５ｃからアーム部２４が出入り可能となっている。枠体２５の上面には、図８（ｂ）に示すように、接着部材３が形成されており、枠体２５は、この接着部材３を介して便座１２の下面１２ａに固定されるようになっている。一方、枠体２５の下面２５ａには、内部空間と連通するガイド孔２５ｂが長手方向に延びて形成されている。
【００４３】
アーム部２４は、プラスチック等の合成樹脂で形成された板状部材であり、長手方向の一端にツマミ部２１１が連結されている。このアーム部２４の裏面には、ツマミ部２１１が連結された反対側において、凸状の突起２４ａが形成されている。この突起２４ａは、図８（ａ）に示すように、枠体２５のガイド孔２５ｂに挿通されており、この突起２４ａがガイド孔２５ｂに沿ってスライド移動可能となっている。
【００４４】
このような伸縮機構によって、突起２４ａがガイド孔２５ｂに沿ってスライド移動することで、図９に示すように、ツマミ部２１１は、伸縮機構を介して、便座１２の外縁部から外方に向けて前後移動可能となっている。
【００４５】
このような本実施形態によれば、ツマミ部２１１は、伸縮機構によって、便座１２の外縁部から外方に向けて前後移動可能となっているため、便座１２を開閉させる場合にのみツマミ部２１１を便座１２の外縁部から外方に突出させ、不使用時には、ツマミ部２１１を便座１２内に収納させることができるので、ツマミ部２１１に菌が付着することを防止して衛生的である。なお、本実施形態においては、便座１２を閉じた状態において、ツマミ部２１１の上面２１ｂの位置ｈ２が便座１２の下面１２ａの高さｄ２よりも下方に位置するようにしている。
【００４６】
なお、本変形例２においては、上述した変形例２のツマミ部２１１を用いたが、本考案はこれに限定するものではなく、他の実施形態及び変形例のツマミ部を用ることができる。また、本変形例２では、第２実施形態のように着脱可能な貼設部２２に伸縮機構を設ける場合を例に説明したが、第１実施形態においても適用可能である。この場合には、便座１２の内部に空間を設けるとともに、便座１２の下面にガイド孔２５ｂと同様のガイド孔を設け、この内部にスライド移動可能な板部材を設ける。この板部材には、突起２４ａと同様の突起を設けられ、この突起をユーザーが掴んで、ガイド孔に沿ってスライド移動させることで、板部材と連結したツマミ部２１１が便座１２の外縁部から外方に向けて移動可能となる。
【００４７】
［変形例３］
次いで、本考案の変形例３について説明する。本実施形態では、便座１２の開閉動作に応じて、自動でツマミ部２１１が伸縮する伸縮機構を備えることを要旨とする。図１０（ａ）及び（ｂ）は、変形例３に係る便座用取っ手２ｂの構成を示す斜視図である。図１１及び図１２は、変形例３に係る便座用取っ手２ｂの伸縮状態を示す説明図であり、図（ａ）は、便器全体を示す側面図であり、同図（ｂ）は、便座用取っ手の要部を概略的に示す上面図であり、同図（ｃ）は、便座用取っ手の要部を概略的に示す側面図である。なお、本実施形態においても、上述した各実施形態及び変形例と同一の構成要素には同一の符号を付し、その機能等は特に言及しない限り同一であり、その説明は省略する。
【００４８】
図１０（ａ）及び（ｂ）に示すように、本実施形態に係る便座用取っ手２ｂは、内部空中の枠体２８と、枠体２８に対して出入り可能に連結され、ツマミ部２１１を支持するアーム部２６とから構成されている。
【００４９】
枠体２８は、プラスチック等の合成樹脂で形成されている。この枠体２８は、一方の側面が開口された側部開口２８ａが形成されており、その側部開口２８ａからアーム部２４の一部が出入り可能となっている。また、枠体２８の上面には、図１０（ｂ）示すように、接着部材３が形成されており、枠体２８は、この接着部材３を介して便座１２の下面１２ａに固定されるようになっている。一方、枠体２５の下面２５ａには、内部空間と連通する下部開口部２８ｂが形成されている。
【００５０】
なお、本実施形態においても、便座１２を閉じた状態において、ツマミ部２１１の上面２１ｂの位置ｈ２が便座１２の下面１２ａの高さｄ２よりも下方に位置するようにしている。
【００５１】
アーム部２６は、枠体２８の側部開口２８ａを通じて、枠体２８に対して出入り可能に連結されている。本実施形態において、アーム部２６は、下部開口部２８ｂの幅より幅広な基台２６ａと、枠体２８の側部開口２８ａと略同形状で枠体２８に対して出入り可能な連結部２６ｂとを備え、連結部２６ｂの先端にツマミ部２１１を支持している。
【００５２】
さらに、本実施形態に係る便座用取っ手２ｂには、アーム部２６を、便座１２の内方に向けて押圧する付勢手段であるバネ２９と、鉛直方向において上方に向けて作用する力を、バネ２９による押圧力に対抗する力に変換し、ツマミ部２１１を便座１２の外方に向けて移動させる押出機構とを備えている。
【００５３】
具体的に、バネ２９は、図１１（ｂ）及び図１２（ｂ）に示すように、枠体２８内部に設けられており、枠体２８の側部開口２８ａが形成された側壁と、アーム部２６の基台２６ａとに固着されている。
【００５４】
一方、押出機構は、可撓性を有するベルト２７であり、一端がアーム部２６に固着され、他端が枠体２８に固着されている。具体的に、ベルト２７の一端は、基台２６ａと連結部２６ｂとの境目付近のアーム部２６に固着されている。一方、ベルト２７の他端は、側部開口２８ａが形成された側壁とは反対側の枠体側壁に固着されている。そして、このように両端を固着されたベルト２７は、下部開口部２８ｂを出し入れ可能となっている。
【００５５】
このような構成により、図１２（ａ）に示すように、便座１２が閉じた状態では、図１２（ｂ）及び（ｃ）に示すように、押圧機構のベルト２７は、便器１１の上面に押圧され、ベルト２７に鉛直方向において上方に向けた力が作用する。
【００５６】
ベルト２７に上方に向けた力が作用すると、ベルト２７は延び、バネ２９による押圧力に対抗する力に変換され、ツマミ部２１１を便座１２の外方に向けて移動させるようになる。一方、図１１（ａ）に示すように、便座１２が開いた状態では、押圧機構のベルト２７に対して鉛直方向において上方に向けた力は作用しないため、図１１（ｂ）及び（ｃ）に示すように、バネ２９によって、アーム部２６を便座１２の内方に向けて押圧した状態となる。この際、ベルト２７は、下部開口部２８ｂから外部に突出した状態となる。
【００５７】
このように、便座１２が閉じた状態では、ベルト２７に対して鉛直方向において上方に向けた力が作用しているため、ツマミ部２１１を便座の外方に突出させることができ、その結果、このツマミ部２１１を掴んで容易に便座を開くことができる。一方、便座が開いた状態では、ベルト２７に対して鉛直方向において上方に向けた力は加わらないため、ツマミ部２１１はバネ２９によってアーム部２６は枠体の内側に押圧され、ツマミ部２１１は便座１２の外方から突出しない構成とすることができるので、ツマミ部２１１が汚れてしまうことを防止できる。このように、本実施形態によれば、簡易な機構でツマミ部２１１を自動で便座１２の外縁から出し入れ可能となるため、より衛生的である。
【００５８】
なお、本変形例３においては、上述した変形例２のツマミ部２１１を用いたが、本考案はこれに限定するものではなく、他の実施形態及び変形例のツマミ部を用ることができるものとする。また、本変形例３では、第２実施形態のような着脱可能な貼設部２２に伸縮機構を設ける場合を例に説明したが、第１実施形態においても適用可能である。この場合には、便座１２の内部に空間を設けるとともに、便座１２の下面に下部開口部２８ｂと同様の開口を設け、この内部にベルト２７と同様なベルト部材、及びアーム部２６と同様なアーム部２６（基台２６ａ及び連結部２６ｂと同様な構成を含む）、バネ２９と同様なバネ部材を形成させる。この際、アーム部の先端には、ツマミ部２１１を連結させる。
【００５９】
このような構成により、ツマミ部２１１が便座１２と一体である場合であっても、便座１２が閉じると、ベルト部材は、便器１１の上面に押圧されて延びる。これにより、鉛直方向において上方に向けて作用する力が、バネ部材による押圧力に対抗する力に変換される。その結果、ツマミ部２１１を便座１２の外縁から外方に向けて移動するようになる。一方、便座１２を開くと、ベルト部材に対して鉛直方向において上方に向けた力は加わらないため、アーム部はバネによって便座１２の内側に押圧され、その結果、ツマミ部２１１は便座１２の外縁から外方に向けて突出しない構成となる。
【符号の説明】
【００６０】
１…洋式トイレ
２，２ａ〜２ｆ…便座用取っ手
３…接着部材
１１…便器
１２…便座
１２ａ…下面
１３…突起部
２１…ツマミ部
２１ａ…貫通穴
２１ｂ…ツマミ部上面
２２…貼設部
２３…連結部
２４…アーム部
２４ａ…突起
２５…枠体
２５ａ…下面
２５ｂ…ガイド孔
２６…アーム部
２６ａ…基台
２６ｂ…連結部
２７…ベルト
２８…枠体
２８ａ…側部開口
２８ｂ…下部開口部
２８ｂ…連結部
２９…バネ
２１１〜２１３…ツマミ部
【図１】
0003185147.tif 000003
【図２】
0003185147.tif 000004
【図３】
0003185147.tif 000005
【図４】
0003185147.tif 000006
【図５】
0003185147.tif 000007
【図６】
0003185147.tif 000008
【図７】
0003185147.tif 000009
【図８】
0003185147.tif 000010
【図９】
0003185147.tif 000011
【図１０】
0003185147.tif 000012
【図１１】
0003185147.tif 000013
【図１２】
0003185147.tif 000014